(57)【要約】【課題】無線ＬＡＮ通信網において、ルーターを跨いで移動端末が移動した場合の通信停止状態を避けることのできる、安価な無線ＬＡＮハンドオーバー方法と装置を提供する。【解決手段】  インターネット・プロトコル（ＩＰ）に従う通信網であるＩＰ網（ＩＰＮ）の通信ルートを指示するためのルーター（ＲＴ）を挟む前後の少なくとも各１つのアクセス・ポイント（ＡＰａＨ，ＡＰａＦ）の1つ（ＡＰａＨ）と無線交信する移動端末（ＳＴ）が移動して、無線交信が他の１つ（ＡＰａＦ）との間で実行されるハンドオーバーにおいて、アクセス・ポイント（ＡＰａＨ，ＡＰａＦ）が、無線交信のハンドオーバーを移動端末（ＳＴ）に代わって制御するための代理モバイル・ノード（ＰＭＮ）を内蔵するようにした。ルーターを跨ぐハンドオーバーの制御は無線によらず有線で実行されるから、確実で通信停止状態も発生しない。【選択図】図1
2008258993.tif 000002
【特許請求の範囲】
【請求項１】
インターネット・プロトコルに従う通信網であるＩＰ網（ＩＰＮ）の通信ルートを指示するためのルーター（ＲＴ）の前後にホーム・エージェント（ＨＡ）及びフォーリン・エージェント（ＦＡ）を設置するＩＰ網があり、前記ルーター（ＲＴ）を挟む少なくとも各１つのアクセス・ポイント（ＡＰＨ，ＡＰＦ）の1つ（ＡＰＨ）と無線交信する移動端末（ＳＴ）が移動して、無線交信が他の１つ（ＡＰＦ）との間で実行されるハンドオーバーにおいて、
前記アクセス・ポイント（ＡＰＨ，ＡＰＦ）が、前記無線交信のハンドオーバーを前記移動端末（ＳＴ）に代わって制御するための代理モバイル・ノード処理（ＰＭＮ）をする
無線ＬＡＮハンドオーバー方法。
【請求項２】
前記アクセス・ポイント（ＡＰＨ，ＡＰＦ）が、
前記移動端末（ＳＴ）と無線交信するための、前記移動端末（ＳＴ）のアドレス、通信網の種別および転送先のアドレスを記憶して無線通信処理（ＷＬＡＮ、17）をし、
前記代理モバイル・ノード処理（ＰＭＮ）において、
前記移動端末（ＳＴ）のアドレス、登録応答に関する情報および前記移動端末（ＳＴ）のハンドオーバーの前後におけるアドレス情報を収納するためのPMN情報テーブル（12）から、前記ハンドオーバーを制御する
請求項1の無線ＬＡＮハンドオーバー方法。
【請求項３】
前記アクセス・ポイント（ＡＰＨ，ＡＰＦ）が、
前記移動端末（ＳＴ）と無線交信するための、前記移動端末（ＳＴ）のアドレス、通信網の種別および転送先のアドレスを記憶して無線通信処理（ＷＬＡＮ、17）をし、
前記代理モバイル・ノード処理（ＰＭＮ）において、
登録済み移動端末の全てのアドレス、前記ハンドオーバー前の前記移動端末（ＳＴ）のアドレス、前記ホーム・エージェント（ＨＡ）のアドレスおよび前記フォーリン・エージェント（ＦＡ）のアドレスを格納するＰＭＮデータ・ベース（22）から、前記移動端末（ＳＴ）に関するデータを検索する検索処理（21）をし、
前記移動端末（ＳＴ）のアドレス、登録応答に関する情報および前記移動端末（ＳＴ）のハンドオーバーの前後におけるアドレス情報を収納するためのPMN情報テーブル（12）から、前記ハンドオーバーを制御する
請求項1の無線ＬＡＮハンドオーバー方法。
【請求項４】
前記アクセス・ポイント（ＡＰＨ，ＡＰＦ）が、
前記移動端末（ＳＴ）と無線交信するための、前記移動端末（ＳＴ）のアドレス、通信網の種別および転送先のアドレスを記憶して無線通信処理（ＷＬＡＮ、17）をし、
前記代理モバイル・ノード処理（ＰＭＮ）において、
前記管理サーバー処理（ＳＲ）における登録済み移動端末のアドレス、前記ハンドオーバー前の前記移動端末（ＳＴ）のアドレス、前記ホーム・エージェント（ＨＡ）のアドレスおよび前記フォーリン・エージェント（ＦＡ）のアドレスを格納するＰＭＮデータ・ベース（22）から、前記移動端末（ＳＴ）に関するデータを通信網を介して検索する通信検索処理（21，22，ＬＡＮｂ）をし、
前記移動端末（ＳＴ）のアドレス、登録応答に関する情報および前記移動端末（ＳＴ）のハンドオーバーの前後におけるアドレス情報を収納するためのPMN情報テーブル（12）から、前記ハンドオーバーを制御する
請求項1の無線ＬＡＮハンドオーバー方法。
【請求項５】
インターネット・プロトコルに従う通信網であるＩＰ網（ＩＰＮ）の通信ルートを指示するためのルーター（ＲＴ）の前後にホーム・エージェント（ＨＡ）及びフォーリン・エージェント（ＦＡ）を設置するＩＰ網があり、前記ルーター（ＲＴ）を挟む少なくとも各１つのアクセス・ポイント（ＡＰＨ，ＡＰＦ）の1つ（ＡＰＨ）と無線交信する移動端末（ＳＴ）が移動して、無線交信が他の１つ（ＡＰＦ）との間で実行されるハンドオーバーにおいて、
前記アクセス・ポイント（ＡＰＨ，ＡＰＦ）が、前記無線交信のハンドオーバーを前記移動端末（ＳＴ）に代わって制御するための代理モバイル・ノード手段（ＰＭＮ）を含んでいる    
無線ＬＡＮハンドオーバー装置。
【請求項６】
前記アクセス・ポイント（ＡＰＨ，ＡＰＦ）が、
前記移動端末（ＳＴ）と無線交信するための、前記移動端末（ＳＴ）のアドレス、通信網の種別および転送先のアドレスを記憶するための無線通信手段（ＷＬＡＮ、17）を含み、
前記代理モバイル・ノード手段（ＰＭＮ）が、
前記移動端末（ＳＴ）のアドレス、登録応答に関する情報および前記移動端末（ＳＴ）のハンドオーバーの前後におけるアドレス情報を収納するためのPMN情報テーブル（12）から、前記ハンドオーバーを制御する
請求項5の無線ＬＡＮハンドオーバー装置。
【請求項７】
前記アクセス・ポイント（ＡＰＨ，ＡＰＦ）が、
前記移動端末（ＳＴ）と無線交信するための、前記移動端末（ＳＴ）のアドレス、通信網の種別および転送先のアドレスを記憶する無線通信手段（ＷＬＡＮ、17）を含み、
前記代理モバイル・ノード手段（ＰＭＮ）が、
登録済み移動端末の全てのアドレス、前記ハンドオーバー前の前記移動端末（ＳＴ）のアドレス、前記ホーム・エージェント（ＨＡ）のアドレスおよび前記フォーリン・エージェント（ＦＡ）のアドレスを格納するＰＭＮデータ・ベース（22）から、前記移動端末（ＳＴ）に関するデータを検索する検索手段（21）を含み、
前記移動端末（ＳＴ）のアドレス、登録応答に関する情報および前記移動端末（ＳＴ）のハンドオーバーの前後におけるアドレス情報を収納するためのPMN情報テーブル（12）から、前記ハンドオーバーを制御する
請求項5の無線ＬＡＮハンドオーバー装置。
【請求項８】
前記アクセス・ポイント（ＡＰＨ，ＡＰＦ）が、
前記移動端末（ＳＴ）と無線交信するための、前記移動端末（ＳＴ）のアドレス、通信網の種別および転送先のアドレスを記憶する無線通信手段（ＷＬＡＮ、17）を含み、
前記代理モバイル・ノード手段（ＰＭＮ）が、
前記管理サーバー手段（ＳＲ）における登録済み移動端末のアドレス、前記ハンドオーバー前の前記移動端末（ＳＴ）のアドレス、前記ホーム・エージェント（ＨＡ）のアドレスおよび前記フォーリン・エージェント（ＦＡ）のアドレスを格納するＰＭＮデータ・ベース（22）から、前記移動端末（ＳＴ）に関するデータを通信網を介して検索するための通信検索（21，22，ＬＡＮｂ）をし、
前記移動端末（ＳＴ）のアドレス、登録応答に関する情報および前記移動端末（ＳＴ）のハンドオーバーの前後におけるアドレス情報を収納するためのPMN情報テーブル（12）から、前記ハンドオーバーを制御する
請求項5の無線ＬＡＮハンドオーバー装置。
【発明の詳細な説明】
【技術分野】
【０００１】
本発明は、無線ＬＡＮ通信網のハンドオーバーに関するものである。具体的には、ルーターを含んだ通信網において、ルーターを跨いで移動端末が移動した（一般にはレイヤー3ハンドオーバーと呼ばれる）場合、通信停止状態を避けることのできる、安価な無線ＬＡＮハンドオーバー方法と装置を提供せんとするものである。
【背景技術】
【０００２】
図22は、従来のモバイルＩＰ（移動体通信用インターネット・プロトコル）を用いたレイヤー3ハンドオーバー可能な網構成（従来例1）を示している。ここで、ルーターＲＴを跨いで２つのアクセス・ポイントＡＰｐがある。1つは、移動端末ＳＴが接続中のホーム（Home）側アクセス・ポイントＡＰｐＨであり、他の1つは、移動端末ＳＴが移動後に接続するフォーリン（Foreign）側アクセス・ポイントＡＰｐＦである。
【０００３】
移動端末ＳＴの通信相手PE（Peer）は、IP網ＩＰＮ（インターネット・プロトコル通信網）に属する通信網ＰＮ側にいる。IP網ＩＰＮ（インターネット・プロトコル通信網）に属する通信網ＨＮと通信網ＦＮとの間にルーターＲＴがあり、ホーム側アクセス・ポイントＡＰｐＨの接続されている通信網ＨＮ（移動端末ＳＴ宛のパケットが届くネットワーク）には、ホーム・エージェントＨＡｐが、フォーリン側アクセス・ポイントＡＰｐＦの接続されている通信網ＦＮ（移動端末ＳＴの移動先ネットワーク）には、フォーリン・エージェントＦＡｐが接続されている。
【０００４】
移動端末ＳＴが接続中のホーム側アクセス・ポイントＡＰｐＨと、移動端末ＳＴが移動後に接続するフォーリン側アクセス・ポイントＡＰｐＦの間にルーターＲＴが存在すると、移動端末ＳＴが移動してフォーリン側アクセス・ポイントＡＰｐＦに接続した場合、フォーリン側アクセス・ポイントＡＰｐＦが設置されている通信網ＦＮに移動端末ＳＴ宛のパケットが転送されない為、移動端末ＳＴと通信相手ＰＥとの通信が完全に停止してしまうという事態が発生する。これを解決するために、通信網ＨＮにホーム・エージェントＨＡｐおよび通信網ＦＮにフォーリン・エージェントＦＡｐを設けている。
【０００５】
レイヤー3ハンドオーバー前のパケットの流れを太い点線で、レイヤー3ハンドオーバー後のパケットの流れを太い1点鎖線で示している。レイヤー3ハンドオーバー前においてはパケットは、通信相手ＰＥ-通信網ＰＮ，ＨＮ-ホーム側アクセス・ポイントＡＰｐＨ-移動端末ＳＴの経路をとる。レイヤー3ハンドオーバー後においてはパケットは、通信相手ＰＥ-通信網ＰＮ，ＨＮ-ホーム・エージェントＨＡｐ-ルーターＲＴ-フォーリン・エージェントＦＡｐ-フォーリン側アクセス・ポイントＡＰｐＦ-移動端末ＳＴの経路をとる。
【０００６】
このホーム・エージェントＨＡｐおよびフォーリン・エージェントＦＡｐは、ルーターＲＴを跨ぐパケットの転送装置である。移動端末ＳＴが、ルーターＲＴを跨いだレイヤー3ハンドオーバーをする場合に、ホーム・エージェントＨＡｐおよびフォーリン・エージェントＦＡｐは、移動端末ＳＴの移動による通信の完全停止を避けるために役立っている。しかしながら、モバイル・ノードと呼ばれる移動体制御機能を、各移動端末ＳＴに内蔵せしめる必要がある。現在のところ全ての移動端末ＳＴにモバイル・ノードが実装されているわけではなく、全ての移動端末ＳＴにモバイル・ノードを実装することは、費用の面で大変な負担となる。
【０００７】
また、標準的なモバイル・ノードは、下位の無線ＬＡＮ部分と連携しないため、移動端末STがフォーリン側アクセス・ポイントに接続したことを検出するまでに時間がかかる。
【０００８】
移動端末ＳＴがホーム側アクセス・ポイントＡＰｐＨのサービス・エリアからフォーリン側アクセス・ポイントＡＰｐＦのサービス・エリアに移動する。すると、移動端末STとフォーリン側アクセス・ポイントＡＰｐＦは、無線LANの標準規格であるIEEE802.11に従い接続動作を行い、無線接続を完了する。しかし、移動端末ST内のモバイル・ノードはフォーリン・エージェントFAｐがフォーリン側ネットワークFN内に定期的にブロードキャストしているエージェント広告を受信するまでフォーリン側ネットワークFNに移動したことを検出しない。
【０００９】
移動端末ST内のモバイル・ノードはエージェント広告を受信してからレイヤー3ハンドオーバーを開始する（具体的には、移動端末ＳＴ内のモバイル・ノードがパケット転送処理を依頼する為、フォーリン・エージェントＦＡｐに対してＲｅｇｉｓｔｒａｔｉｏｎ
Ｒｅｑｕｅｓｔと呼ばれるパケットを送信する。）。一般的なエージェント広告の送信周期は数秒から数十秒であり、その間の通信が一時停止してしまう。
【００１０】
図23には、従来の無線ＬＡＮスイッチを用いたレイヤー3ハンドオーバー可能な網構成図（従来例2）が示されている。この網構成においては、図22のモバイルＩＰを用いた網構成（従来例1）に対して、レイヤー3ハンドオーバー制御に要する時間が短いという特徴がある。しかしながら、従来例1とは別個の問題がある。それについて、図23を用いて、説明する。
【００１１】
図23において、ルーターＲＴを跨いで２つの無線ＬＡＮスイッチＳＷ1，ＳＷ2がある。無線ＬＡＮスイッチＳＷ1の制御下には、アクセス・ポイントＡＰｐ1および2がある。無線ＬＡＮスイッチＳＷ2の制御下には、アクセス・ポイントＡＰｐ3および4がある。無線ＬＡＮスイッチＳＷ1，ＳＷ2は、集中制御装置であり、この2つの集中制御装置の連携によってレイヤー3ハンドオーバー制御が実行される。
【００１２】
レイヤー3ハンドオーバー前のパケットの流れを太い点線で、ハンドオーバー後のパケットの流れを太い1点鎖線で示している。ハンドオーバー前においてはパケットは、通信相手ＰＥ-通信網ＰＮ，ＨＮ-無線ＬＡＮスイッチＳＷ1-アクセス・ポイントＡＰｐ1-移動端末ＳＴの経路をとる。レイヤー3ハンドオーバー後においてはパケットは、通信相手ＰＥ-通信網ＰＮ，ＨＮ-無線ＬＡＮスイッチＳＷ1-ルーターＲＴ-無線ＬＡＮスイッチＳＷ2-アクセス・ポイントＡＰｐ3-移動端末ＳＴの経路をとる。
【００１３】
移動端末ＳＴの通信相手PE（Peer）は、IP網ＩＰＮ（インターネット・プロトコル通信網）に属する通信網ＰＮ側にいる。IP網ＩＰＮに属する通信網ＨＮと通信網ＦＮとの間にルーターＲＴがあり、ルーターＲＴを挟んで無線ＬＡＮスイッチＳＷ1とＳＷ2が設けられている。ルーターＲＴを挟んで無線ＬＡＮスイッチＳＷ1とＳＷ2との間でパケットがやりとりされる。無線ＬＡＮスイッチＳＷ1は、アクセス・ポイントＡＰｐ1とＡＰｐ2を集中管理している。無線ＬＡＮスイッチＳＷ2は、アクセス・ポイントＡＰｐ3とＡＰｐ4を集中管理している。
【００１４】
図23に示す無線ＬＡＮスイッチＳＷ1とＳＷ2を含む従来例2は、図22に示す従来例1のハンドオーバー時における通信の一時中断という問題点は解決するものの、全てのトラフィックが、この集中制御装置（無線ＬＡＮスイッチＳＷ1，ＳＷ2）を介して転送されるため、高トラフィックに対応するためには高性能な機能をもつ装置が必要となり、高価となった。
【００１５】
複数のアクセス・ポイント間にまたがるハンドオーバーについては、たとえば、特許文献1に詳細に開示されてはいるが、ルーターを跨ぐ場合については、開示されてはいない。
【特許文献１】特願2005-094305号
【発明の開示】
【発明が解決しようとする課題】
【００１６】
従来例1の場合、通信の完全停止を避けるために、移動端末ＳＴのホーム側ネットワークＨＮにホーム・エージェントＨＡｐおよびフォーリン側ネットワークＦＮにフォーリン・エージェントＦＡｐを設けたとしても、移動端末ＳＴ内のモバイル・ノードがフォーリン側ネットワークFNに移動したことを検出するまでに時間がかかるため、通信が可能となるまでに数秒から時には無線区間の輻輳も加わって数十秒かかることがある。全ての移動端末ＳＴにモバイル・ノードを実装することは、大きな費用負担が発生し、それをたとえ実行したとしても、移動端末ＳＴ内のモバイル・ノードが移動を検出するまで通信が一時停止してしまうという第1の課題があった。
【００１７】
従来例2の場合、従来例1の通信の一時停止は避けられるものの、全てのトラフィックが、集中制御装置（無線ＬＡＮスイッチＳＷ1，ＳＷ2）を介して転送されるため、高トラフィックに対応するためには高性能な機能をもつ装置が必要となり、高価となってしまうという解決されねばならない第2の課題があった。
【００１８】
本発明では、トラフィックが集中する集中制御装置（無線ＬＡＮスイッチＳＷ1，ＳＷ2）を必要とせず、移動端末ＳＴにモバイル・ノードを実装することもなく、無線通信の一時停止が短いレイヤー3ハンドオーバー方法と装置を提供することを目的としている。
【課題を解決するための手段】
【００１９】
インターネット・プロトコル（ＩＰ）に従う通信網であるＩＰ網（ＩＰＮ）の通信ルートを指示するためのルーター（ＲＴ）を挟む前後の少なくとも各１つのアクセス・ポイント（ＡＰＨ，ＡＰＦ）の1つ（ＡＰＨ）と無線接続する移動端末（ＳＴ）が移動して、無線接続が他の１つ（ＡＰＦ）との間で実行されるレイヤー3ハンドオーバーにおいて、アクセス・ポイント（ＡＰＨ，ＡＰＦ）が、レイヤー3ハンドオーバーを移動端末（ＳＴ）に代わって制御するための代理モバイル・ノード（ＰＭＮ）を内蔵するようにした。
【発明の効果】
【００２０】
移動端末（ＳＴ）がアクセス・ポイント（ＡＰＨ，ＡＰＦ）のサービス・エリアに入り、所定の電界強度が維持されていることを確認すると移動端末（ＳＴ）がアクセス・ポイント（ＡＰＨ，ＡＰＦ）への無線接続を開始する。無線接続完了後、アクセス・ポイント（ＡＰＨ，ＡＰＦ）は、代理モバイル・ノード（ＰＭＮ）を移動端末（ＳＴ）にみたてて、レイヤー3ハンドオーバー制御を実行することとした。
【００２１】
このレイヤー3ハンドオーバー制御は、アクセス・ポイント（ＡＰＨ，ＡＰＦ）に移動端末STが接続すると直ちに実行され、代理モバイル・ノード（ＰＭＮ）が管理するデータ・ベースや情報テーブルをもとに、無線を介さずに実行されるから、移動の検出が速く、無線区間の輻輳や電波伝搬の状況に影響されることもなく、通信の中断の短いハンドオーバーを安価に実現することができた。さらに、各移動端末（ＳＴ）にモバイル・ノードの実装をしなくても、移動端末（ＳＴ）がフォーリン側アクセス・ポイント（ＡＰＦ）を介してフォーリン・エージェント（ＦＡ）にパケットを送信できるようになった。
【発明を実施するための最良の形態】
【００２２】
インターネット・プロトコル（ＩＰ）に従う通信網であるＩＰ網（ＩＰＮ）の通信ルートを指示するためのルーター（ＲＴ）を挟むホーム側ネットワークＨＮとフォーリン側ネットワークＦＮに配置された少なくとも各１つのアクセス・ポイント（ＡＰＨ，ＡＰＦ）の1つ（ＡＰＨ）と無線接続する移動端末（ＳＴ）が移動して、無線接続が他の１つ（ＡＰＦ）との間で実行されるハンドオーバーにおいて、アクセス・ポイント（ＡＰＨ，ＡＰＦ）が、レイヤー3ハンドオーバーを移動端末（ＳＴ）に代わって制御するための代理モバイル・ノード（ＰＭＮ）を内蔵するようにした。
【００２３】
移動端末（ＳＴ）がアクセス・ポイント（ＡＰＨ，ＡＰＦ）のサービス・エリアに入り、所定の電界強度が維持されていることを確認すると移動端末（ＳＴ）はＩＥＥＥ802.11規格に従いアクセス・ポイント（ＡＰＨ，ＡＰＦ）への無線接続を開始する。無線接続完了後、アクセス・ポイント（ＡＰＨ，ＡＰＦ）は、代理モバイル・ノード（ＰＭＮ）を移動端末（ＳＴ）にみたてて、レイヤー3ハンドオーバー制御を実行する。このハンドオーバー制御は、アクセス・ポイント（ＡＰＨ，ＡＰＦ）に移動端末STが接続すると直ちに、無線を介さずに実行されるから、無線区間の輻輳や電波伝搬の状況に影響されることもなく、通信の中断の短いハンドオーバーを実現する。
【実施例１】
【００２４】
図1は、本願発明の実施例1を示したアクセス・ポイントＡＰａが検索部と代理モバイル・ノードを有する場合の網構成図である。ここで、図22および図23に対応する要素については、対応する記号を付してある。
【００２５】
図1において、ルーターＲＴを跨いで２つのアクセス・ポイントＡＰａＨとＡＰａＦがある。1つは、移動端末ＳＴが接続中のホーム（Home）側アクセス・ポイントＡＰａＨであり、他の1つは、移動端末ＳＴが移動後に接続するフォーリン（Foreign）側アクセス・ポイントＡＰａＦである。同図のルーターＲＴの前後には、それぞれホーム・エージェント（ＨＡ）及びフォーリン・エージェント（ＦＡ）が設置されている。
【００２６】
移動端末ＳＴの通信相手PE（Peer）は、IP網ＩＰＮ（インターネット・プロトコル通信網）に属する通信網ＰＮ側にいる。IP網ＩＰＮ（インターネット・プロトコル通信網）に属する通信網ＨＮと通信網ＦＮとの間にルーターＲＴがあり、ホーム側アクセス・ポイントＡＰａＨは、通信網ＨＮ（移動端末ＳＴ宛のパケットが届くネットワーク）に接続されている。フォーリン側アクセス・ポイントＡＰａＦは通信網ＦＮ（移動端末ＳＴの移動先ネットワーク）に接続されている。
【００２７】
移動端末ＳＴが接続中のホーム側アクセス・ポイントＡＰａＨと、移動端末ＳＴが移動後に接続するフォーリン側アクセス・ポイントＡＰａＦの間にルーターＲＴが存在すると、移動端末ＳＴ宛のパケットが、移動端末STが接続しているフォーリン側アクセス・ポイントＡＰａＦが設置されている通信網ＦＮに送信されないため、移動端末ＳＴの移動により、通信が完全に停止してしまうという事態が発生する。
【００２８】
これを解決するために、2つのアクセス・ポイントＡＰａは、移動端末ＳＴの移動に従ってフォーリン・エージェント(FA)へ移動端末ST宛のパケットの転送を依頼するモバイル・ノード機能を代理する機能を有している。アクセス・ポイントＡＰａには、モバイル・ノード機能を発揮するべく、検索部が設けられている。以下において、アクセス・ポイントＡＰａの詳細を説明する。
【００２９】
図２は、図1の重要な構成要素である検索部と代理モバイル・ノードを内蔵したアクセス・ポイントＡＰａの内部構成を示す回路構成図である。通信網ＨＮ又はＦＮに接続する有線通信部ＬＡＮ、移動端末ＳＴと無線交信するための無線通信部ＷＬＡＮ、無線通信部ＷＬＡＮ（Ｗｉｒeｌｅｓｓ  Ｌｏｃａｌ  Ａｒｅａ  Ｎｅｔｗｏｒｋ）の動作に必要な情報を格納するＷＬＡＮ情報テーブル17が含まれている。
【００３０】
さらに、モバイル・ノード機能を代理する代理モバイル・ノードＰＭＮ（Pｒｏｘｙ Mobile Node）、代理モバイル・ノードＰＭＮの動作に必要な情報を格納するＰＭＮ情報テーブル12、代理モバイル・ノードＰＭＮに必要な情報を検索する検索部21、情報検索に対応可能な情報を格納するＰＭＮデータ・ベース22およびパケット転送部15が含まれている。
【００３１】
パケット転送部15は、有線通信部ＬＡＮ、無線通信部ＷＬＡＮおよび代理モバイル・ノードＰＭＮとの間でのパケットを転送している。代理モバイル・ノードＰＭＮは、パケット転送部15、無線通信部ＷＬＡＮ、ＰＭＮ情報テーブル12および検索部21との間で、パケットを転送し、あるいは、情報のやりとりをし、指示を出している。アクセス・ポイントＡＰａの動作の詳細は、格納情報の具体例および動作の手順を示す中で説明する。
【００３２】
図3は、図2の重要な構成要素であるＷＬＡＮ情報テーブル17内における移動端末１台分のデータの内部構造を示す記憶内容構造図である。ＷＬＡＮ情報テーブル17にはレイヤー3ハンドオーバーに成功した移動端末全ての情報が図3の内部構造に従い格納される。そこには、移動端末ＳＴのＭＡＣアドレス、通信網の種別および転送先のＭＡＣアドレスが格納されている。ここで、移動端末ＳＴのＭＡＣ（Media Access Control ）アドレスは、ＬＡＮ（Local Area
Network:構内情報通信網）に必須な伝送技術において使用される移動端末ＳＴのアドレスである。
【００３３】
通信網の種別は、ホーム側通信網ＨＮか、フォーリン側通信網ＦＮかを表す通信網の種別である。転送先のＭＡＣアドレスは、ネットワーク種別がホーム側ネットワークHNならば無線通信部ＷＬＡＮまたはホームネットワークHNに接続されたルーターのＭＡＣアドレス、フォーリン側ネットワークFNならばフォーリン・エージェントのＭＡＣアドレスである。
【００３４】
図4は、図2の重要な構成要素であるＰＭＮデータ・ベース22内における移動端末１台分のデータの内部構造を示す記憶内容構造図である。ＰＭＮデータ・ベース22にはレイヤー3ハンドオーバーを行う移動端末全ての情報が図４の内部構造に従い格納される。図４で表される一台の移動端末用データの内部構造には、移動端末ＳＴのＭＡＣアドレス、移動端末ＳＴのホーム・アドレス、ホーム・エージェントＨＡのＩＰアドレスおよびフォーリン・エージェントＦＡのＩＰアドレスが格納されている。ここで、移動端末ＳＴのＭＡＣアドレスは、図3に示したものと同じである。移動端末ＳＴのホーム・アドレスは、インターネット・プロトコル網上の予め付与されたアドレスである。
【００３５】
ホーム・エージェントＨＡのＩＰアドレスは、移動端末ＳＴのホーム側通信網ＨＮに存在するホーム・エージェントＨＡのインターネット・プロトコル網上の予め付与されたアドレスである。フォーリン・エージェントＦＡのＩＰアドレスは、移動端末ＳＴが移動したフォーリン側通信網ＦＮに存在するフォーリン・エージェントＦＡのインターネット・プロトコル網上の予め付与されたアドレスである。
【００３６】
図5は、図2の重要な構成要素であるＰＭＮ情報テーブル12内における移動端末１台分のデータの内部構造を示す記憶内容構造図である。ＰＭＮ情報テーブル12にはレイヤー3ハンドオーバーに成功した移動端末全ての情報が図４の内部構造に従い格納される。そこには、移動端末ＳＴのＭＡＣアドレス、移動端末ＳＴのホーム・アドレス、ホーム・エージェントＨＡのＩＰアドレスおよびフォーリン・エージェントＦＡのＩＰアドレス、モバイルＩＰの登録時間、モバイルＩＰの更新周期が格納されている。ここで、移動端末ＳＴのＭＡＣアドレス、移動端末ＳＴのホーム・アドレス、ホーム・エージェントＨＡのＩＰアドレスおよびフォーリン・エージェントＦＡのＩＰアドレスは、図4に示したものと同じである。
【００３７】
モバイルＩＰの登録時間は、ホーム・エージェントHAとフォーリン・エージェントFAによるパケット転送の開始時刻(Registration Replyを受信した時刻)、モバイルＩＰの更新周期は、ホーム・エージェントHAとフォーリン・エージェントFAによるパケット転送の有効期限（Registration Reply内の有効時間）である。更新周期を越えた場合、ホーム・エージェントＨＡとフォーリン・エージェントＦＡによるパケット転送は終了する。
【００３８】
代理モバイル・ノードＰＭＮが、Registration Replyを受信したときに、移動端末ＳＴごとに移動端末ＳＴのＭＡＣアドレス、通信網ＨＮにおける移動端末STのホーム・アドレス、ホーム・エージェントHAのIPアドレス、フォーリン・エージェントＦＡのＩＰアドレス、Registration
Replyの受信時間である登録時間、Registration Reply内に記載された有効時間である更新周期をＰＭＮ情報テーブルに格納している。
【００３９】
代理モバイル・ノードＰＭＮは、定期的にＰＭＮ情報テーブルを調査し、現在時刻が登録時間に更新周期を加えた時間を超過しそうな移動端末ＳＴが存在する場合には、移動端末STの代わりにフォーリン・エージェントＦＡにRegistration Requestを送信し、それに対するRegistration Replyがあった場合、ＰＭＮ情報テーブル内の対応する移動端末ＳＴの登録時間を更新する。
【００４０】
図6は、図2の重要な構成要素である代理モバイル・ノードＰＭＮの動作開始時における初期化動作の流れを示すフローチャートである。アクセス・ポイントＡＰａは動作を開始する。代理モバイル・ノードＰＭＮは、PMN情報テーブル12を初期化し（Ｓ1）、初期化動作開始の指示を無線通信部ＷＬＡＮに対して出す（Ｓ2）。
【００４１】
この指示により無線通信部ＷＬＡＮは、ＷＬＡＮ情報テーブル17を初期化する（Ｓ3）。無線通信部ＷＬＡＮは、すでに接続中の移動端末ＳＴに対して移動端末ＳＴの当該アクセス・ポイントＡＰａに対する無線接続の切断を要求する（Ｓ4）。この無線接続の切断は、無線LANの規格8021.11に規定され、De-Authenticationと呼ばれている。これを受けた移動端末ＳＴは、アクセス・ポイントＡＰａに対する無線リンクの切断をして初期化動作を終了する（Ｓ5、Ｓ6）。
【００４２】
図7ないし図11は、移動端末ＳＴがレイヤー3ハンドオーバーした時の登録手順を示すフローチャートである。図７および図8のＳ22からＳ32はＩＥＥＥ802.11で規定されている接続手順である。移動端末ＳＴ、ホーム側アクセス・ポイントＡＰａＨ、ルーターＲＴおよびフォーリン側アクセス・ポイントＡＰａＦは動作中である。移動端末ＳＴは、ホーム側アクセス・ポイントＡＰａＨと接続中である（Ｓ21、図7）。移動端末ＳＴは、フォーリン側アクセス・ポイントＡＰａＦのサービス・エリア内に移動し、ホーム側アクセス・ポイントＡＰａＨとの接続環境が悪化すると、新たな接続可能なアクセス・ポイントを探索する為Probe Requestをブロードキャストする（Ｓ22）。
【００４３】
これを受けたフォーリン側アクセス・ポイントＡＰａＦの無線通信部ＷＬＡＮは、移動端末ＳＴに対し自分の存在を通知する為Probe Responseを返す（Ｓ23，Ｓ24）。このProbe Responseを受信した移動端末ＳＴは、フォーリン側アクセス・ポイントＡＰａＦへの接続許可を得る為Authentication Requestを送信する（Ｓ25，Ｓ26）。ここではopen-system authentication、つまり全ての端末が無条件に接続を許可される方式を例にとって説明する。
【００４４】
Authentication Requestを受けたフォーリン側アクセス・ポイントＡＰａＦの無線通信部ＷＬＡＮは、Authentication
Requestを受けたことに対して接続許可を与えること通知するAuthentication Responseを送る（Ｓ27，Ｓ28）。そこで移動端末ＳＴは、フォーリン側アクセス・ポイントＡＰａＦへの無線接続を要求するＡｓｓｏｃｉａｔｉｏｎ  Requestを送信する（Ｓ29，Ｓ30）。この接続要求の前にも接続要求を出していたならば、Reaｓｓｏｃｉａｔｉｏｎ  Requestとなる。
【００４５】
この(Re)aｓｓｏｃｉａｔｉｏｎ  Requestをフォーリン側アクセス・ポイントＡＰａＦの無線通信部ＷＬＡＮが受信すると（Ｓ31）、それに応えて（Ｒｅ）Ａｓｓｏｃｉａｔｉｏｎ  Responseを送信し、移動端末ＳＴはこれを受信する（Ｓ32，Ｓ33、図8）。そこでフォーリン側アクセス・ポイントＡＰａＦの無線通信部ＷＬＡＮは、代理モバイル・ノードＰＭＮに対してＲｅaｓｓｏｃｉａｔｉｏｎ  Indicationを出す（Ｓ34）。
【００４６】
Ｒｅaｓｓｏｃｉａｔｉｏｎ  Indicationを受けた代理モバイル・ノードＰＭＮは、フォーリン・エージェントＦＡに移動端末ＳＴ宛パケットの転送を依頼するため、この移動端末ＳＴがＰＭＮデータ・ベース22に登録されているものか否かの検索をするように、検索部21に対してSearch Requestを出す（Ｓ35）。この要求に従って、検索部21はPMNデータ・ベース22に当該移動端末ＳＴのＭＡＣアドレスが登録済であるか否か検索を開始する（Ｓ36）。
【００４７】
移動端末ＳＴのＭＡＣアドレスが登録済であり、その検索に成功すると検索部は図４で表される移動端末STの情報を含むSearch Successを代理モバイル・ノードPMNに返す（Ｓ41Ｙ、図9）。代理モバイル・ノードＰＭＮは、この情報を使用してフォーリン・エージェントＦＡに対して移動端末ＳＴ宛のパケットの転送を要求するRegistration Requestを出す（Ｓ42）。このRegistration Requestは、フォーリン・エージェントＦＡ、ルーターＲＴを介してホーム・エージェントＨＡにも伝えられる（Ｓ43，Ｓ44）。代理モバイル・ノードＰＭＮとフォーリン・エージェントＦＡ、フォーリン・エージェントＦＡとホーム・エージェントＨＡとの通信（Ｓ42〜Ｓ44）は、モバイルＩＰの規格ＲＦＣ2002に準拠して実行される。
【００４８】
ホーム・エージェントＨＡがこのRegistration Requestを受信し、パケットの転送が可能であると判断すると（Ｓ45Ｙ）、移動端末ＳＴがホーム側アクセス・ポイントＡＰａＨのサービス・エリアを去ったことを確認し、ホーム・エージェントＨＡは、ホーム・エージェントＨＡとフォーリン・エージェントＦＡとの間でパケットの転送を行うことを伝えるため、フォーリン・エージェントに対してRegistration Replyを送信する。Registration Replyを受信したフォーリン・エージェントはホーム・エージェントHAとのパケットの転送が許可されたと判断し、フォーリン側アクセス・ポイントＡＰａＦの代理モバイル・ノードＰＭＮにRegistration Replyを転送する（Ｓ47，Ｓ48，Ｓ49）。
【００４９】
フォーリン側アクセス・ポイントＡＰａＦの代理モバイル・ノードＰＭＮは、Registration
Replyを受信するとホーム・エージェントHAとフォーリン・エージェントFAによりパケット転送が行われると判断し、PMN情報テーブル12に移動端末ＳＴに関する情報を記録する（Ｓ51）。また、無線通信部ＷＬＡＮに対して移動端末ＳＴに関する情報の登録指示（Registration Indication）を出す（Ｓ50）。
【００５０】
登録指示を受けたフォーリン側アクセス・ポイントＡＰａＦの無線通信部ＷＬＡＮは、ＷＬＡＮ情報テーブル17に移動端末ＳＴに関する情報を記録して登録を完了し（Ｓ52）、移動端末ＳＴと通信相手ＰＥｓの間でホーム・エージェントＨＡ、フォーリン・エージェントＦＡ、フォーリン側アクセス・ポイントＡＰａＦを介してパケット通信が続行される（Ｓ53）。これにて、ルーターＲＴを跨ぐレイヤー3ハンド・オーバー制御は、完了する。
【００５１】
ステップＳ41（図9）において検索に失敗した場合は（Ｓ41Ｎ）、フォーリン側アクセス・ポイントＡＰａＦの検索部21は、Search Fail  Messageを代理モバイル・ノードＰＭＮにする（Ｓ71、図10）。この通知を受けたフォーリン側アクセス・ポイントＡＰａＦの代理モバイル・ノードは無線通信部に対して、No-Registration Indicationを送信する。この通知を受けた無線通信部ＷＬＡＮは、ＷＬＡＮ情報テーブル17内の当該移動端末ＳＴに関する情報をチェックする（Ｓ73）。
【００５２】
当該移動端末ＳＴに関する情報が登録済の場合は（Ｓ74Ｙ）その登録を削除し（Ｓ75）、登録されていない場合は（Ｓ74Ｎ）放置して（Ｓ76）、移動端末ＳＴとフォーリン側アクセス・ポイントＡＰａＦの無線通信部ＷＬＡＮとの間の無線通信は接続されたままの状態が続く（Ｓ77）。検索に失敗した場合（Ｓ41Ｎ、Ｓ71〜Ｓ77）、代理モバイル・ノードPMNがフォーリン・エージェントＦＡに対してＲｅｇｉｓｔｒａｔｉｏｎ
Ｒｅｑｕｅｓｔを送信しない為、移動端末ＳＴはフォーリン側アクセス・ポイントＡＰａＦに接続しているが、移動端末ＳＴ宛のパケットはホーム・エージェントＨＡ、フォーリン・エージェントＦＡを介してフォーリン側ネットワークFNに転送されない。すなわち、レイヤ-3ハンドオーバーは、不成功に終わる。
【００５３】
ステップＳ45（図9）においてパケットの転送が出来ないと判断すると（Ｓ45Ｎ）、ホーム側ネットワークＨＮのホーム・エージェントＨＡは、移動端末ＳＴ宛パケットをフォーリン・エージェントＦＡに転送しないことを通知するRegistration Replyをフォーリン・エージェントFAに伝える（Ｓ81〜Ｓ83）。
【００５４】
このRegistration Replyは、フォーリン・エージェントＦＡを経由してフォーリン側アクセス・ポイントＡＰａＦの代理モバイル・ノードＰＭＮに通知される。この通知を受けたフォーリン側アクセス・ポイントＡＰａＦの代理モバイル・ノードＰＭＮはＮｏ-Ｒｅｇｉｓｔｒａｔｉｏｎ Ｉｎｄｉｃａｔｉｏｎを無線通信部ＷＬＡＮに通知する（Ｓ84，Ｓ85）。
【００５５】
このときフォーリン側アクセス・ポイントＡＰａＦの代理モバイル・ノードＰＭＮは、PMN情報テーブル12を検索し（Ｓ86）、そこにレイヤー3ハンドオーバーに失敗した移動端末ＳＴの情報が存在する場合は（Ｓ87Ｙ）登録情報を削除し（Ｓ88）、情報が存在しない場合は（Ｓ87Ｎ）何もしないで放置する（Ｓ89）。
【００５６】
Ｎｏ-Ｒｅｇｉｓｔｒａｔｉｏｎ Ｉｎｄｉｃａｔｉｏｎを受信したフォーリン側アクセス・ポイントＡＰａＦの無線通信部ＷＬＡＮは、ＷＬＡＮ情報テーブル17内の当該移動端末ＳＴに関する情報をチェックする。当該移動端末ＳＴに関する情報が存在する場合には、その登録を削除し、登録されていない場合は、放置する（Ｓ89）。これにより、移動端末ＳＴとフォーリン側アクセス・ポイントＡＰａＦの無線通信部ＷＬＡＮとの間の無線通信は接続されたままの状態が続く（Ｓ90）。登録に失敗した為、移動端末STはフォーリン側アクセス・ポイントＡＰａＦに接続しているが、移動端末ＳＴ宛のパケットはホーム・エージェントＨＡ、フォーリン・エージェントＦＡを介してフォーリン側ネットワークFNに転送されない。すなわち、レイヤ-3ハンドオーバーは、不成功に終わる。
【００５７】
図12，13および14は、移動端末ＳＴのレイヤー3ハンドーオーバーが成功した後の登録更新手順を示すフローチャートであり、図13は更新成功の場合を、図14は更新失敗の場合を表している。移動端末ＳＴは、フォーリン側アクセス・ポイントＡＰａＦとフォーリン・エージェントFA、ルーターRT、ホーム・エージェントHAを経由して通信相手ＰＥと無線接続によるパケット通信中である（Ｓ111、図12）。
【００５８】
代理モバイル・ノードＰＭＮは、定期的に図5に示したPMN情報テーブル12を検索する（Ｓ112）。現在時刻、モバイルＩＰの登録時間およびモバイルＩＰの更新周期から、登録の更新が必要か調査する（Ｓ113）。登録時刻＋更新周期が現在時刻を越えそうな移動端末STが存在する場合（Ｓ114Ｙ）、代理モバイル・ノードPMNは移動端末STの代わりに、フォーリン・エージェントＦＡに再度Registration
Requestを出す（Ｓ115）。
【００５９】
Registration Requestは、フォーリン・エージェントＦＡおよびルーターＲＴにより転送されて、ホーム・エージェントＨＡに届く（Ｓ116，Ｓ117）。これに応答してホーム・エージェントＨＡは、Registration Replyをフォーリン側アクセス・ポイントＡＰａＦの代理モバイル・ノードＰＭＮ宛に送信する（Ｓ118）。このRegistration ReplyはルーターＲＴおよびフォーリン・エージェントＦＡにより転送されて、代理モバイル・ノードＰＭＮに届く（Ｓ119，Ｓ120）。代理モバイル・ノードＰＭＮは、フォーリン・エージェントＦＡから登録に成功したか否かの回答を含むRegistration Replyを受け取り、登録更新に成功したことを知る（Ｓ121Ｙ）。
【００６０】
登録更新成功の場合は（Ｓ121Ｙ）、PMN情報テーブル12のモバイルＩＰの登録時間を現在時に更新する（Ｓ122、図13）。移動端末ＳＴは、ホーム・エージェントHA、フォーリン・エージェントFA、フォーリン側アクセス・ポイントＡＰａＦを経由して通信相手ＰＥとの間のパケット通信を継続する（Ｓ123）。
【００６１】
登録に成功しなかった場合は（Ｓ121Ｎ）、代理モバイル・ノードＰＭＮは、PMN情報テーブル12の当該移動端末ＳＴに対応する情報を削除し（Ｓ124、図14）、Ｎｏ-Ｒｅｇｉｓｔｒａｔｉｏｎ  Ｉｎｄｉｃａｔｉｏｎを無線通信部ＷＬＡＮに送信する（Ｓ125）。これを受けた無線通信部ＷＬＡＮは当該移動端末ＳＴに関する登録情報の存在を調査する（Ｓ126）。
【００６２】
この調査において、当該移動端末ＳＴに関する登録情報が存在する場合は（Ｓ127Ｙ）、その登録情報を削除し（Ｓ129）、存在しない場合は（Ｓ127Ｎ）、そのまま放置する（Ｓ128）。登録更新に失敗した場合（Ｓ121Ｎ，Ｓ124〜Ｓ129）、移動端末STとフォーリン側アクセス・ポイントＡＰａＦとの間の無線接続は維持されるが（Ｓ130）、通信相手ＰＥからのパケットはホーム・エージェントＨＡとフォーリン・エージェントＦＡを経由してフォーリン側ネットワークFNに転送されない為、移動端末ＳＴと通信相手ＰＥとの通信はやがて停止する。
【００６３】
図15は、移動端末ＳＴがフォーリン側アクセス・ポイントＡＰａＦと接続している場合のパケット転送のシーケンスを示す図である。移動端末ＳＴから通信相手ＰＥに至る、レイヤー3ハンドオーバー後のパケットの流れを表している。移動端末ＳＴから送出されたデータは、フォーリン側アクセス・ポイントＡＰａＦの無線通信部ＷＬＡＮで受信され（Ｓ201）、無線通信部ＷＬＡＮからは、ただちに、移動端末ＳＴに対してＡＣＫ（受信確認通知）が出され（Ｓ202）、同時にデータはフォーリン・エージェントＦＡに送られる（Ｓ203）。
【００６４】
そこからルーターＲＴを介してホーム・エージェントＨＡに送られる（Ｓ204，Ｓ205）。ホーム・エージェントＨＡからは通信相手ＰＥにパケット・データが届けられる（Ｓ206）。通信相手ＰＥから発送するデータは（Ｓ207）、ホーム・エージェントＨＡ（Ｓ208）、ルーターＲＴ（Ｓ209）、フォーリン・エージェントＦＡ（Ｓ210）、およびフォーリン側アクセス・ポイントＡＰａＦの無線通信部ＷＬＡＮを介して移動端末ＳＴに届けられる（Ｓ211）。そこで移動端末ＳＴは、ただちに、無線通信部ＷＬＡＮに対してＡＣＫ（受信確認通知）を出す（Ｓ212）。
【００６５】
図16は、パケットの受信と転送手順を示すフローチャートである。移動端末ＳＴは、通信相手ＰＥ宛のパケットをアクセス・ポイント（ＡＰａＨまたはＡＰａＦ）に送信する（Ｓ151、図16）。移動端末ＳＴからのパケットを受けると（Ｓ152）、アクセス・ポイントＡＰａＦの無線通信部ＷＬＡＮはＷＬＡＮ情報テーブル17を調べて、移動端末ＳＴのMACアドレスはすでに登録済か否かを検索する（Ｓ153）。
【００６６】
移動端末ＳＴはすでに登録済であれば（Ｓ154Ｙ）、通信網の種別が通信網ＨＮであるかＦＮであるかを調べ、通信網ＦＮであるときには（Ｓ155ＦＮ）、パケットの種別をチェックする（Ｓ156）。パケットの種別は、ＩＰパケットの場合（Ｓ157Ｉ）、ＡＲＰリクエスト（Address Resolution Protocol
Request）の場合（Ｓ157Ａ）、その他のパケットの場合（Ｓ157他）の３種である。その他のパケットの場合は、パケットを破棄する（Ｓ158）。
【００６７】
ＡＲＰリクエストの場合、パケットを破棄し、フォーリン側アクセス・ポイントＡＰａＦの無線通信部ＷＬＡＮは、ＷＬＡＮ情報テーブル17に記載されているフォーリン・エージェントＦＡのMACアドレスを送信者（Sender）として含むＡＲＰ応答（Address Resolution
Protocol Response）を移動端末ＳＴに対して返信する（Ｓ159）。移動端末ＳＴはこれを受けて（Ｓ160）次のパケット送信に移る（Ｓ151）。このARPプロトコルに対するステップＳ157〜Ｓ160の処理により、移動端末ＳＴにモバイル・ノードを実装しなくても、移動端末ＳＴがフォーリン・エージェントＦＡにパケットを送信することが、可能となる。
【００６８】
通信網の種別が通信網ＨＮであるとき（Ｓ155ＨＮ）および、パケットの種別が、ＩＰパケットの場合（Ｓ157Ｉ）は、ＷＬＡＮ情報テーブル17において送信先MACアドレスを転送先MACアドレスに変更してパケット転送部15へ送る（Ｓ161）。移動端末ＳＴが、すでに登録済とはなっていなかった場合には（Ｓ154Ｎ）、移動端末ＳＴから送られてきたパケットはそのままパケット転送部15へ送られる（Ｓ162）。
【００６９】
転送されてきたパケットは、パケットに付された送信先MACアドレ（又は、転送先MACアドレス）およびIPアドレスに従ってパケットの転送をして、フォーリン側アクセス・ポイントＡＰａＦの無線通信部ＷＬＡＮのパケット受信動作を完了する（Ｓ163）。
【００７０】
図17は、移動端末ＳＴとアクセス・ポイント（ＡＰａＨ、ＡＰａＦ）の接続が切断されたときの登録削除手順を示すフローチャートである。移動端末ＳＴが通信中のアクセス・ポイントＡＰａは、ＡＰａＦフォーリン側アクセス・ポイントＡＰａＦあるいはホーム側アクセス・ポイントＡＰａＨのいずれでも同じであるので、フォーリン側アクセス・ポイントＡＰａＦの場合で説明する。
【００７１】
移動端末ＳＴからの接続解除指示（De-authentication）があった場合（Ｓ171）、フォーリン側アクセス・ポイントＡＰａＦの無線通信部ＷＬＡＮはＷＬＡＮ情報テーブル17から、移動端末ＳＴの情報を削除する（Ｓ172）。そこで移動端末ＳＴとの接続解除をしたことをDe-authentication  Indicationとして代理モバイル・ノードＰＭＮに伝える（Ｓ173）。代理モバイル・ノードＰＭＮは、PMN情報テーブル12から移動端末ＳＴに関する情報を削除して、登録削除を完了する（Ｓ174）。これにて、移動端末ＳＴとフォーリン側アクセス・ポイントＡＰａＦとの間の無線接続は切断され終了する（Ｓ175）。
【００７２】
図18は、アクセス・ポイントＡＰａＦが、移動端末からのＡＣＫ（受信確認通知）を受信することができなかった場合を示すフローチャートである。通信相手ＰＥからデータの送信があり（Ｓ181）、フォーリン側アクセス・ポイントＡＰａＦの無線通信部ＷＬＡＮが転送してきたデータを（Ｓ182）移動端末ＳＴが受信する（Ｓ183）。移動端末ＳＴはただちにＡＣＫ（受信確認通知）を無線通信部ＷＬＡＮに対して送信する（Ｓ184）。このＡＣＫ（受信確認通知）を無線通信部ＷＬＡＮが受信した場合には（Ｓ185Ｙ）、移動端末ＳＴと無線通信部ＷＬＡＮの間の無線接続は継続する（Ｓ186）。
【００７３】
アクセス・ポイントの無線通信部ＷＬＡＮから送信されたパケット（Ｓ182）に対して移動端末ＳＴからIEEE802.11で定められたＡＣＫ（受信確認通知）が受信できない場合（Ｓ185Ｎ）、移動端末ＳＴとの接続を解除するためDe-authenticationを移動端末ＳＴに送信する（Ｓ187）。それと同時にフォーリン側アクセス・ポイントＡＰａＦのＷＬＡＮ情報テーブル17から、移動端末ＳＴの情報を削除する（Ｓ188）。
【００７４】
そこで移動端末ＳＴとの接続解除をしたことをDe-authentication Indication  として代理モバイル・ノードＰＭＮに伝える（Ｓ189）。代理モバイル・ノードＰＭＮは、PMN情報テーブル12から移動端末ＳＴに関する情報を削除して、登録削除を完了する（Ｓ190）。これにて、移動端末ＳＴとフォーリン側アクセス・ポイントＡＰａＦとの間の無線接続は終了し切断される（Ｓ191）。
【００７５】
以上において説明した実施例1の特徴は、アクセス・ポイントＡＰａが検索部21とＰＭＮデータ・ベース２２を内蔵した場合であった。しかし、これらのものは必ずしも内蔵する必要性はなく、通信網の規模や経済性の都合により、通信網側に具備せしめてもよい。そのような場合を以下において例示する。
【実施例２】
【００７６】
図19は、本願発明の実施例2を示したアクセス・ポイントＡＰｂが代理モバイル・ノード部を有する場合の網構成図である。図19において、ルーターＲＴを跨いで２つのアクセス・ポイントＡＰｂＨとＡＰｂＦがある。また、ホーム側ネットワークＨＮにホーム・エージェント(HA)、フォーリン側ネットワークＦＮにフォーリン・エージェント(FA)が設置されている。
【００７７】
さらに、検索部21とＰＭＮデータ・ベース22を含む管理サーバーＳＲが、通信網ＨＮに設けられている。従って、２つのアクセス・ポイントＡＰｂＨとＡＰｂＦには、検索部は含まれていない。
【００７８】
移動端末ＳＴの通信相手PE（Peer）は、IP網ＩＰＮ（インターネット・プロトコル通信網）に属する通信網ＰＮ側にいる。IP網ＩＰＮ（インターネット・プロトコル通信網）に属する通信網ＨＮと通信網ＦＮとの間にルーターＲＴがあり、ホーム側アクセス・ポイントＡＰｂＨは、通信網ＨＮ（移動端末ＳＴ宛のパケットが届くネットワーク）に接続されている。フォーリン側アクセス・ポイントＡＰｂＦは通信網ＦＮ（移動端末ＳＴの移動先ネットワーク）に接続されている。検索部を含む管理サーバーＳＲが、通信網ＨＮに設けられている。
【００７９】
移動端末ＳＴが接続中のホーム側アクセス・ポイントＡＰｂＨと、移動端末ＳＴが移動後に接続するフォーリン側アクセス・ポイントＡＰｂＦの間にルーターＲＴが存在すると、移動端末ＳＴ宛のパケットが、移動端末ＳＴが接続しているフォーリン側アクセス・ポイントＡＰｂＦの配置されている通信網ＦＮに転送されないため、通信が完全に停止してしまうという事態が発生する。
【００８０】
これを解決するために、2つのアクセス・ポイントＡＰｂは、移動端末ＳＴの移動に従ってパケット転送処理の開始を依頼するモバイル・ノード機能を代理する機能を有している。以下において、アクセス・ポイントＡＰｂの詳細を説明する。
【００８１】
図20は、図19の重要な構成要素である代理モバイル・ノードＰＭＮを内蔵したアクセス・ポイントAＰｂの内部構成を示す回路構成図である。通信網ＨＮ又はＦＮに接続する有線通信部ＬＡＮ、移動端末ＳＴと無線接続するための無線通信部ＷＬＡＮ、無線通信部ＷＬＡＮの動作に必要な情報を格納するＷＬＡＮ情報テーブル17が含まれている。さらに、モバイル・ノード機能を代理する代理モバイル・ノードＰＭＮ、代理モバイル・ノードＰＭＮの動作に必要な情報を格納するＰＭＮ情報テーブル12およびパケット転送部15が含まれている。
【００８２】
パケット転送部15は、有線通信部ＬＡＮ、無線通信部ＷＬＡＮ、および代理モバイル・ノードＰＭＮとの間でのパケットを転送している。代理モバイル・ノードＰＭＮは、パケット転送部15、無線通信部ＷＬＡＮおよびＰＭＮ情報テーブル12との間で、パケットを転送し、あるいは、情報のやりとりをし、指示を出している。さらに代理モバイル・ノードＰＭＮは、管理サーバーＳＲを検索して必要な情報を得ている。ＷＬＡＮ情報テーブル17の内部構造は、図3に示し説明した通りである。PMN情報テーブル12の内部構造は、図5に示し説明した通りである。
【００８３】
図21は、図19の重要な構成要素である検索部を有する管理サーバーＳＲの内部構成を示す回路構成図である。そこには検索部21とＰＭＮデータ・ベース22および有線通信部ＬＡＮｂが含まれている。ここで、検索部21とＰＭＮデータ・ベース22および有線通信部ＬＡＮｂの動作は、図2の検索部21とＰＭＮデータ・ベース22および有線通信部ＬＡＮの動作に同じである。ＰＭＮデータ・ベース22の内部構造は、図4に示し説明した通りである。
【００８４】
ただ異なるのは、管理サーバーＳＲを各アクセス・ポイントＡＰｂが共通に利用し、通信網ＨＮまたはＦＮを介して、あるいは更にルーターＲＴを介して代理モバイル・ノードＰＭＮにより検索が実行されることである。したがって、この共通利用される管理サーバーＳＲを含む実施例2の動作の本質は、実施例1に同じである。図3ないし図18においてした実施例1の説明事項は、そのまま実施例2の動作説明となっている。
【００８５】
以上において説明した、実施例1および2は、移動端末ＳＴのハンドオーバー時において、フォーリン・エージェントＦＡへの登録処理(パケット転送依頼処理)を移動端末ＳＴに代わって代理モバイル・ノードＰＭＮに持たせた点で共通する。検索部21の機能は、アクセス・ポイントＡＰに内蔵するか、あるいは通信網ＨＮ，ＦＮ側に具備するかは、網構成、規模、コストを総合的に考慮して、実施例1または2を選択すればよい。
【図面の簡単な説明】
【００８６】
【図１】本願発明の実施例1を示したアクセス・ポイントＡＰａが検索部と代理モバイル・ノード  を有する場合の網構成図である。
【図２】図1の重要な構成要素である検索部と代理モバイル・ノード  を内蔵したアクセス・ポイントＡＰａの内部構成を示す回路構成図である。
【図３】図2の重要な構成要素であるＷＬＡＮ情報テーブルの内部構造を示す記憶内容構造図である。
【図４】図2の重要な構成要素であるＰＭＮデータ・ベースの内部構造を示す記憶内容構造図である。
【図５】図2の重要な構成要素であるＰＭＮ情報テーブルの内部構造を示す記憶内容構造図である。
【図６】図2の重要な構成要素である代理モバイル・ノードの動作開始時の初期化の動作の流れを示すフローチャートである。
【図７】移動端末がハンドオーバーした時の登録手順を示すフローチャートである。
【図８】図7とともに、移動端末がハンドオーバーした時の登録手順を示すフローチャートである。
【図９】図7および図8とともに、移動端末がハンドオーバーした時の登録手順の内、検索に成功した場合を示すフローチャートである。
【図１０】図7，図8および図9とともに、移動端末がハンドオーバーした時の登録手順の内、検索に失敗した場合を示すフローチャートである。
【図１１】図7，図8，図9および図10とともに、移動端末がハンドオーバーした時の登録手順の内、登録に失敗した場合を示すフローチャートである。
【図１２】移動端末がハンドオーバーした後の登録更新手順を示すフローチャートである。
【図１３】図12とともに移動端末がハンドオーバーした後の登録更新手順における更新成功の場合を示すフローチャートである。
【図１４】図12および13とともに移動端末がハンドオーバーした後の登録更新手順における更新失敗の場合を示すフローチャートである。
【図１５】パケット転送データのシーケンスを示す図である。
【図１６】パケットの受信と転送手順を示すフローチャートである。
【図１７】移動端末が通話終了したときの登録削除手順において移動端末から切断要求があつた場合を示すフローチャートである。
【図１８】移動端末が通話終了したときの登録削除手順において移動端末からのＡＣＫ（受領報告）を受信することができなかった場合を示すフローチャートである。
【図１９】本願発明の他の実施例を示した代理モバイル・ノードを内蔵したアクセス・ポイントＡＰｂと検索部を内蔵した管理サーバーＳＲを有する場合の網構成図である。（実施例2）
【図２０】図19の重要な構成要素である代理モバイル・ノードを内蔵したアクセス・ポイントAＰｂの内部構成を示す回路構成図である。
【図２１】図19の重要な構成要素である検索部を有する管理サーバーＳＲの内部構成を示す回路構成図である。
【図２２】従来のモバイルＩＰを用いたレイヤー3ハンドオーバー可能な網構成図である。
【図２３】従来の無線ＬＡＮスイッチを用いたレイヤー3ハンドオーバー可能な網構成図である。
【符号の説明】
【００８７】
12  PMN情報テーブル
15  パケット転送部
17  ＷＬＡＮ情報テーブル
21  検索部
22  ＰＭＮデータ・ベース
ＡＰａＦ，ＡＰｂＦ  フォーリン側アクセス・ポイント
ＡＰａＨ，ＡＰｂＨ  ホーム側アクセス・ポイント
ＦＡ  フォーリン・エージェント
ＨＡ  ホーム・エージェント
ＦＮ，ＨＮ，ＰＮ  通信網
ＩＰＮ  ＩＰ網
ＬＡＮ，ＬＡＮｂ  有線通信部
ＰＥ  通信相手
ＰＭＮ  代理モバイル・ノード
ＲＴ  ルーター
ＳＲ  管理サーバー
ＳＴ  移動端末
ＳＷ  無線ＬＡＮスイッチ
ＷＬＡＮ  無線通信部
【図１】
2008258993.tif 000003
【図２】
2008258993.tif 000004
【図３】
2008258993.tif 000005
【図４】
2008258993.tif 000006
【図５】
2008258993.tif 000007
【図６】
2008258993.tif 000008
【図７】
2008258993.tif 000009
【図８】
2008258993.tif 000010
【図９】
2008258993.tif 000011
【図１０】
2008258993.tif 000012
【図１１】
2008258993.tif 000013
【図１２】
2008258993.tif 000014
【図１３】
2008258993.tif 000015
【図１４】
2008258993.tif 000016
【図１５】
2008258993.tif 000017
【図１６】
2008258993.tif 000018
【図１７】
2008258993.tif 000019
【図１８】
2008258993.tif 000020
【図１９】
2008258993.tif 000021
【図２０】
2008258993.tif 000022
【図２１】
2008258993.tif 000023
【図２２】
2008258993.tif 000024
【図２３】
2008258993.tif 000025